(57)【特許請求の範囲】
【請求項１】
円筒形を模した上位階層メニューと前記上位階層メニューの上下に位置する一対のカーソルと前記上位階層メニューの下位の階層となる少なくとも１つ以上の円筒形を模した下位階層メニューとを表示可能な表示手段と、前記表示手段を動作させる制御手段とを備えた表示装置において、
前記制御手段は、前記上位階層メニューに表示されている上位階層表示項目の表示切替を促す項目切替指示信号を所定の入力手段を介して受信すると、
前記項目切替指示信号に基づいて前記上位階層表示項目が動き始めてから所定時間経過後、単一の前記下位階層メニューに表示されている単一の下位階層表示項目が動き始めるか、もしくは複数個の前記下位階層メニューに表示されている複数個の下位階層表示項目が同時に動き始めるように、前記表示手段を表示動作させることを特徴とする表示装置。
【発明の詳細な説明】
【技術分野】
【０００１】
本発明は、上位階層メニューとこの上位階層メニューの下位の階層となる少なくとも１つ以上の下位階層メニューとを表示可能な表示手段と、この表示手段を動作させる制御手段とを備えた表示装置に関するものである。
【背景技術】
【０００２】
従来より、この種の表示装置にあっては、例えば下記特許文献１に記載されているものが知られている。この特許文献１に記載の表示装置は、上位階層メニューとこの上位階層メニューの下位の階層となる２つの下位階層メニューとを表示可能な表示手段と、この表示手段を動作させるマイクロコンピュータからなる制御手段とを備え、ユーザが表示手段に表示されている上位階層メニューの項目を所定の入力手段を利用して選択すると、この選択された上位階層メニューの項目に加えて、かかる選択項目に関連する円筒形を模した２つの下位階層メニューが表示手段に同時に表示される。
【先行技術文献】
【特許文献】
【０００３】
【特許文献１】特開平９−２５８９４７号公報
【０００４】
ところで、例えば上位階層メニューの項目として「ラジオ」を挙げると、上位階層メニューの下位の階層となる第１の下位階層メニューの表示項目としてはバンド名に関する項目（つまり「ＡＭ」や「ＦＭ」といった項目）が挙げられ、また第１の下位階層メニューの下位の階層となる第２の下位階層メニューの表示項目としてはラジオ局名に関する項目（つまり「ＮＨＫ第１」、「ＮＨＫ新潟第２」、「ＦＭ新潟」、「ＦＭ  ＰＯＲＴ」といった項目）が挙げられる。
【０００５】
なお、前記上位階層メニューを除いた第１、第２の下位階層メニューのみに着目すれば、上述の第１の下位階層メニューが上位階層メニューに該当し、上述の第２の下位階層メニューが下位階層メニューに該当することになる。そこで、以下の説明では、バンド名に関する項目が上位階層メニューの表示項目であり、且つ、ラジオ局名に関する項目が下位階層メニューの表示項目であると仮定する。
【０００６】
ここで、例えば上位、下位階層メニューとして、「ＡＭ」及び「ＮＨＫ第１」なる表示項目が「ラジオ」なる最上位階層メニューとともに表示手段に並設され、この状態からユーザが前記入力手段を利用して上位階層メニューを「ＡＭ」なる表示項目から「ＦＭ」なる表示項目へと切り替えた場合（つまりユーザが前記入力手段を操作することに伴う上位階層メニュー項目切替のための項目切替指示信号を制御手段が受信すると）、制御手段は表示手段の表示制御を行う。
【０００７】
つまり、表示手段に並設された「ＡＭ」及び「ＮＨＫ第１」なる表示項目が下側に同時に動き始め、やがて「ＡＭ」及び「ＮＨＫ第１」なる表示項目が非表示状態となり、「ＦＭ」及び「ＦＭ新潟」なる表示項目が表示手段に並設される状態となる。
【０００８】
この際、表示手段に並設された「ＦＭ」及び「ＦＭ新潟」なる表示項目は、「ＡＭ」及び「ＮＨＫ第１」なる表示項目と同様に同時に動くように表示制御され、表示手段の上方側から先程まで「ＡＭ」及び「ＮＨＫ第１」なる表示項目が表示されていた初期表示位置（通常表示位置）へと移動し、やがて「ＦＭ」及び「ＦＭ新潟」なる表示項目は前記通常位置にて静止状態となる。そして、車内に搭載されているオーディオからは「ＦＭ新潟」が放送しているラジオ番組が流れ、ユーザはこれを聴取することができる。
【発明の概要】
【発明が解決しようとする課題】
【０００９】
ところで、上述のように上位階層メニューの表示項目の切替え時に、上位階層メニューの表示項目とこの上位階層メニューの表示項目に並設された下位階層メニューの表示項目とが同時に動くだけでは、面白みのない単調な表示演出となってしまい、視覚的演出効果が不十分であり、この点で更なる改良の余地が残されていた。
そこで本発明は、前述の課題に対して対処するため、視覚的演出効果のある表示装置の提供を目的とするものである。
【課題を解決するための手段】
【００１０】
本発明は、円筒形を模した上位階層メニューと前記上位階層メニューの上下に位置する一対のカーソルと前記上位階層メニューの下位の階層となる少なくとも１つ以上の円筒形を模した下位階層メニューとを表示可能な表示手段と、前記表示手段を動作させる制御手段とを備えた表示装置において、前記制御手段は、前記上位階層メニューに表示されている上位階層表示項目の表示切替を促す項目切替指示信号を所定の入力手段を介して受信すると、前記項目切替指示信号に基づいて前記上位階層表示項目が動き始めてから所定時間経過後、単一の前記下位階層メニューに表示されている単一の下位階層表示項目が動き始めるか、もしくは複数個の前記下位階層メニューに表示されている複数個の下位階層表示項目が同時に動き始めるように、前記表示手段を表示動作させることを特徴とする。
【発明の効果】
【００１１】
本発明によれば、初期の目的を達成でき、視覚的演出効果のある表示装置を提供できる。
【図面の簡単な説明】
【００１２】
【図１】本発明の実施形態による表示装置の電気的構成を示すブロック図。
【図２】同実施形態による入力手段を示す図。
【図３】同実施形態による表示手段に表示される階層毎の表示項目を示す図。
【図４】同実施形態による上位階層表示項目、下位階層表示項目の時間的変位量を示す特性曲線図。
【図５】（ａ）は図３の状態から右カーソルボタンが押圧操作された後の（図４中、時刻Ｔ１における）表示手段の正面図であり、（ｂ）は図４中、時刻Ｔ２における表示手段の正面図であり、（ｃ）は図４中、時刻Ｔ３における表示手段の正面図であり、（ｄ）は図４中、時刻Ｔ４における表示手段の正面図であり、（ｅ）は図４中、時刻Ｔ５における表示手段の正面図であり、（ｆ）は上位階層表示項目が切替表示された後の表示手段の正面図である。
【発明を実施するための形態】
【００１３】
以下、図１〜図５に基づいて本発明の実施形態を例えば車載用の表示装置に適用した場合を例に挙げて説明する。
【００１４】
図１において、本実施形態による車載用表示装置としての表示装置Ａは、操作手段（入力手段）１０と、制御手段２０と、表示手段３０と、制御対象ユニット４０とから主に構成されている。また表示装置Ａは、車両に搭載された外部接続機器としての制御対象機器５０と接続されている。
【００１５】
操作手段１０は、例えば複数個の操作部を有する押しボタン式の操作スイッチからなり、車両の運転席に着座した運転手が把持するステアリングの所定箇所に設けられている。かかる操作手段１０は、図２に示すように上カーソルボタン１１と、下カーソルボタン１２と、左カーソルボタン１３と、右カーソルボタン１４と、決定ボタン１５とを備えている。
【００１６】
この場合、決定ボタン１５は、操作手段１０の略中央部に設けられるととともに決定ボタン１５の上側に三角形状に形成された上カーソルボタン１１が位置し、決定ボタン１５の下側に逆三角形状に形成された下カーソルボタン１２が位置し、決定ボタン１５の左側に三角形状に形成された左カーソルボタン１３が位置し、決定ボタン１５の右側に三角形状に形成された右カーソルボタン１４が位置している。
【００１７】
また、操作手段１０は、制御対象ユニット４０と制御対象機器５０の動作状態や設定内容を決定するために後述する操作選択画面を操作する操作入力信号を制御手段２０に入力するものである。なお、操作手段１０は、押しボタン式ではなく、タッチパッドやジョイスティック型スイッチ等の操作スイッチを採用することも可能である。
【００１８】
制御手段２０は、ＲＯＭ、ＣＰＵ、ＲＡＭ及び入出力インターフェイス等を有するマイクロコンピュータからなり、本実施形態の場合、詳細図示は省略するが、表示装置Ａに備えられる回路基板に実装（配設）され、操作手段１０（各カーソルボタン１１〜１４並びに決定ボタン１５）の押圧操作に伴う前記操作入力信号を受信可能に設けられ、前記操作入力信号を受信すると、前記操作入力信号に基づいて表示手段３０に表示される画面表示データを生成し、前記画面表示データに基づき表示手段３０を動作させる。
【００１９】
つまり、制御手段２０は、前記操作入力信号に基づいて前記画面表示データの表示状態を変化させるべく表示手段３０に指令信号を出力する制御を行うことになるが、例えば前記画面表示データの表示状態に応じて制御対象ユニット４０や制御対象機器５０の動作状態をも変更することが決定された場合、制御手段２０は、前記指令信号に加えて、制御対象ユニット４０や制御対象機器５０を制御するための制御信号を出力する。
【００２０】
表示手段３０は、各種情報（つまり前記画面表示データ）を表示する受光型の液晶表示パネルや自発光型の有機ＥＬパネル等からなり、例えば車両のインストルメントパネル（以下、インパネと言う）上に載置されている。そして、本実施形態の場合、表示手段３０には、図３に示すように、前記画面表示データに基づく操作選択画面３１が表示される。
【００２１】
かかる操作選択画面３１は、本実施形態の場合、３つの円筒形を模した階層メニューによって構成されており、具体的には最上位階層メニュー３２と、この最上位階層メニュー３２の下位の階層となる上位階層メニュー３３と、この上位階層メニュー３３の下位の階層となる下位階層メニュー３４とを表示可能に構成されている。ここで、個々の階層メニュー３２〜３４は、表示手段３０の長手方向に沿い、円筒面があたかもあるような画面となっている。
【００２２】
例えば操作選択画面３１には、初期表示状態として、「ラジオ」なる最上位階層表示項目Ｐ１が最上位階層メニュー３２に表示され、「ＡＭ」なる上位階層表示項目Ｐ２がバンド名に関する項目として上位階層メニュー３３に表示され、「ＮＨＫ第１」なる下位階層表示項目Ｐ３がラジオ局名に関する項目として下位階層メニュー３４に表示される。なお、以下の説明では、初期表示状態として図３中、操作選択画面３１にて表示される画面を通常表示画面と定義する。
【００２３】
なお、前記通常表示画面において、最上位階層メニュー３２に表示される「ラジオ」なる最上位階層表示項目Ｐ１と上位階層メニュー３３に表示される「ＡＭ」なる上位階層表示項目Ｐ２とは並設され、且つ、上位階層メニュー３３に表示される「ＡＭ」なる上位階層表示項目Ｐ２と下位階層メニュー３４に表示される「ＮＨＫ第１」なる下位階層表示項目Ｐ３とは並設された状態となっている。
【００２４】
つまり、このことは「ラジオ」なる最上位階層表示項目Ｐ１と「ＡＭ」なる上位階層表示項目Ｐ２と「ＮＨＫ第１」なる下位階層表示項目Ｐ３との三者は横一列に並ぶように設けられていることを意味している。
【００２５】
また、前記通常表示画面において、最上位階層メニュー３２に表示される「ラジオ」なる最上位階層表示項目Ｐ１の位置は、最上位階層メニュー３２の上端面の所定位置と最上位階層メニュー３２の下端面の所定位置とを結ぶ垂直ラインの中間地点（つまり図３中、最上位階層メニュー３２を上下に２等分する仮想ラインとなる仮想中央ラインＬ上）に位置しているものとする。また、前記通常表示画面において、「ラジオ」なる最上位階層表示項目Ｐ１の上下には、最上位階層表示項目Ｐ１をサンドイッチする（挟む）ように一対のカーソル３５が表示されている。
【００２６】
制御対象ユニット４０は、本実施形態の場合、ラジオチューナーユニットからなるとともに、制御対象機器５０は、本実施形態の場合、車両に搭載されたオーディオ機器ユニットからなる。これら制御対象ユニット４０や制御対象機器５０は、操作選択画面３１の状態に応じてその動作や設定内容が制御されるようになっている。
【００２７】
次に、本実施形態における表示装置Ａの動作を図４、図５に基づいて説明する。例えば車両の運転席に着座したユーザ（車両利用者）がイグニッションスイッチをオン操作すると、制御手段２０は、表示手段３０の操作選択画面３１に前記通常表示画面に対応した表示画面を表示させるべく、前記指令信号を表示手段３０を駆動するために設けられた表示用駆動回路（図示省略）に出力する。
【００２８】
そして、前記表示用駆動回路は前記指令信号の入力に基づいて表示手段３０を駆動（動作）させる駆動信号を出力する。すると、表示手段３０は前記駆動信号を受けて動作し、これにより表示手段３０の操作選択画面３１には前記通常表示画面に対応した表示画面（つまり図３に示すような「ラジオ」なる最上位階層表示項目Ｐ１と「ＡＭ」なる上位階層表示項目Ｐ２と「ＮＨＫ第１」なる下位階層表示項目Ｐ３と最上位階層表示項目Ｐ１の上下に位置する一対のカーソル３５とがユーザ側から視認可能な通常表示画面）が表示される。
【００２９】
ここで、制御手段２０は、ユーザが操作手段１０に備えられる右カーソルボタン１４を押圧操作したことを示す操作入力信号を受信すると、この操作入力信号に基づいて一対のカーソル３５を上位階層表示項目Ｐ２を挟む位置へと表示移動させるべく、前記表示用駆動回路に指令信号を出力する。前記表示用駆動回路は、この指令信号を受けて、表示手段３０を駆動させる駆動信号を出力し、これにより図５（ａ）に示すように操作選択画面３１には上位階層表示項目Ｐ２の上下に一対のカーソル３５が表示される。
【００３０】
なお、この状態から、ユーザが左カーソルボタン１３を押圧操作すると、上位階層表示項目Ｐ２の上下に位置しているカーソル３５が最上位階層表示項目Ｐ１の上下へと移動することは言うまでもない。
【００３１】
次に、図５（ａ）に示すような各表示項目Ｐ１〜Ｐ３が操作選択画面３１に表示されている状態から、「ＡＭ」なる上位階層表示項目Ｐ２を例えば「ＦＭ」なる他の上位階層表示項目Ｐ４へと変更したい場合には、ユーザは下カーソルボタン１２を押圧操作することになる。
【００３２】
つまり、このとき、制御手段２０は、下カーソルボタン１２を押圧操作したことを示す操作入力信号である項目切替指示信号を受信し（換言すれば上位階層表示項目Ｐ２の表示切替を促す項目切替指示信号を入力手段１０を介して受信し）、この項目切替指示信号に基づいて上位階層表示項目Ｐ２が動き始めてから所定時間の経過後、下位階層メニュー３４に表示されている単一の下位階層表示項目Ｐ３が動き始めるように、表示手段３０を表示動作させる制御を行う。
【００３３】
ここで、制御手段２０は、表示手段３０を駆動するために設けられた前記表示用駆動回路に図４に示すグラフ特性（上位／下位階層表示項目の時間的変位量特性曲線）に基づく遅延指令信号を出力する。そして、前記表示用駆動回路は、この遅延指令信号を受けて表示手段３０を動作させる。
【００３４】
なお、図４において、Ｘは上位階層表示項目Ｐ２の時間的変位量特性曲線を示すグラフであり、Ｙは下位階層表示項目Ｐ３の時間的変位量特性曲線を示すグラフである。以下、制御手段２０からの前記遅延指令信号に基づく操作選択画面３１の表示動作（別の言い方をすれば、上位階層表示項目Ｐ２が「ＡＭ」なる表示項目から「ＦＭ」なる表示項目へと切り替わるまでの操作選択画面３１の表示変化）について説明する。
【００３５】
まず、図４中、時刻Ｔ１において、両特性曲線Ｘ、Ｙともに変位量は０（零）であるので、表示手段３０の操作選択画面３１には、図５（ａ）に示すように各表示項目Ｐ１〜Ｐ３が仮想中央ラインＬ上に表示されている。
【００３６】
そして、時刻Ｔ１から所定時間（例えば０．１秒）が経過した時刻Ｔ２において、上位階層表示項目Ｐ２に対応する時間的変位量特性曲線Ｘの変化量がＣ１であるとともに下位階層表示項目Ｐ３に対応する時間的変位量特性曲線Ｙの変化量が０であるので、図５（ｂ）に示すように「ＡＭ」なる上位階層表示項目Ｐ２のみが仮想中央ラインＬの下方側に若干、移動（変位）する。この際、「ＡＭ」なる上位階層表示項目Ｐ２は、あたかも円筒外表面上を回転しているような表示変化が行われる。
【００３７】
また、このとき、制御手段２０は、制御対象機器５０（制御対象ユニット４０）の動作を停止させるような制御信号を出力し、かかる制御信号を受けて例えば制御対象機器５０からはラジオ音声（ＡＭ音声）が出力されない状態となっている。
【００３８】
なお、図４において、時刻Ｔ２から所定時間（例えば０．１秒）が経過した時刻Ｔ３までの間は、時間的変位量特性曲線Ｙの変化量は依然として０のままであり、また時間的変位量特性曲線Ｘが時間とともに変位量が増加する一次関数直線となっていることから、「ＡＭ」なる上位階層表示項目Ｐ２のみが図５（ｂ）の状態よりもさらに下方側に移動する（図５（ｃ）参照）。
【００３９】
次に、時刻Ｔ３から所定時間（例えば０．１秒）が経過した時刻Ｔ４においては、上位階層表示項目Ｐ２に対応する時間的変位量特性曲線Ｘの変化量がＣ２であるとともに下位階層表示項目Ｐ３に対応する時間的変位量特性曲線Ｙの変化量Ｄ１が前述した変化量Ｃ１と略同一であるので、図５（ｄ）に示すように「ＡＭ」なる上位階層表示項目Ｐ２が図５（ｃ）の状態よりもさらに下方側に移動すると同時に、「ＮＨＫ第１」なる下位階層表示項目Ｐ３が仮想中央ラインＬの下方側に若干、移動（変位）する。この際、「ＮＨＫ第１」なる下位階層表示項目Ｐ３は、上位階層表示項目Ｐ２と同様に、あたかも円筒外表面上を回転しているような表示変化が行われる。
【００４０】
次に、時刻Ｔ４から所定時間（例えば０．１秒）が経過した時刻Ｔ５においては、上位階層表示項目Ｐ２に対応する時間的変位量特性曲線Ｘの変化量がＣ３であって、且つ、下位階層表示項目Ｐ３に対応する時間的変位量特性曲線Ｙの変化量がＤ２となっている。
【００４１】
この際、時間的変位量特性曲線Ｘにおける変位量Ｃ３は、上位階層表示項目Ｐ２が操作選択画面３１から消失するような変位量に対応しており、これにより時刻Ｔ５においては、図５（ｅ）に示すように「ＡＭ」なる上位階層表示項目Ｐ２が操作選択画面３１から消失し、一方、時間的変位量特性曲線Ｙは時間とともに変位量が増加する一次関数直線となっていることから、「ＮＨＫ第１」なる下位階層表示項目Ｐ３が図５（ｄ）の状態よりもさらに下方側に移動する。
【００４２】
なお、本実施形態では、図５（ｅ）に示す時刻Ｔ５以降の操作選択画面３１の表示動作に関する詳しい説明は省略するが、時刻Ｔ５から所定時間（例えば０．２秒）が経過した時刻Ｔ６においては、時間的変位量特性曲線Ｙにおける変位量Ｄ３が前述した変化量Ｃ３と略同一となっていることから、「ＡＭ」なる上位階層表示項目Ｐ２だけではなく「ＮＨＫ第１」なる下位階層表示項目Ｐ３も操作選択画面３１から消失した状態となる。
【００４３】
そして、この状態から所定時間（例えば０．２秒）が経過した後、最終的には、例えば図５（ｆ）に示すように「ＦＭ」なる他の上位階層表示項目Ｐ４並びに「ＦＭ新潟」なる他の下位階層表示項目Ｐ５が仮想中央ラインＬ上に位置するように、他の上位階層表示項目Ｐ４と他の下位階層表示項目Ｐ５とが操作選択画面３１に表示される構成となっている。
【００４４】
ここで、他の上位階層表示項目Ｐ４並びに他の下位階層表示項目Ｐ５の表示動作は、上述したように下位階層表示項目Ｐ３が上位階層表示項目Ｐ２の移動に追従しながら移動するのと同様な表示動作がなされる。
【００４５】
具体的には、まず下位階層表示項目Ｐ３が操作選択画面３１から消失すると同時に「ＦＭ」なる他の上位階層表示項目Ｐ４のみが仮想中央ラインＬの上方側に現出し始め、他の上位階層表示項目Ｐ４が仮想中央ラインＬに向かって下方側に移動し始める。
【００４６】
すると、やがて他の下位階層表示項目Ｐ５が仮想中央ラインＬの上方側に現出し始め、他の下位階層表示項目Ｐ５は他の上位階層表示項目Ｐ４の移動に追従するように仮想中央ラインＬに向かって下方側に移動し、最終的に、「ＦＭ」なる他の上位階層表示項目Ｐ４が仮想中央ラインＬ上にて静止した後、追従するように「ＦＭ新潟」なる他の下位階層表示項目Ｐ５が仮想中央ラインＬ上にて静止する構成となっている。
【００４７】
なお、この状態で、ユーザが決定ボタン１５を押圧操作した場合、制御手段２０は制御対象機器５０（または制御対象ユニット）を動作させるような制御信号を出力し、これを受け取った制御対象機器５０等からは「ＦＭ新潟」が放送しているラジオ番組が流れ、ユーザはこれを聴取することができる。
【００４８】
以上により、ユーザによる下カーソルボタン１２の押圧操作に基づき、例えば上位階層メニュー３３の表示項目（上位階層表示項目Ｐ２）が「ＡＭ」から他の上位階層表示項目Ｐ４である「ＦＭ」へと円筒外表面上を回転するように切り替え表示されると同時に、上位階層表示項目Ｐ２の表示変化に追従するように下位階層メニュー３４の表示項目（下位階層表示項目Ｐ３）が「ＮＨＫ第１」から他の下位階層表示項目Ｐ５である「ＦＭ新潟」へと円筒外表面上を回転するように切り替え表示される構成となる。
【００４９】
以上のように本実施形態では、上位階層メニュー３３とこの上位階層メニュー３３の下位の階層となる下位階層メニュー３４とを表示可能な表示手段３０と、この表示手段３０を動作させる制御手段２０とを備えた表示装置において、制御手段２０は、上位階層メニュー３３に表示されている「ＡＭ」なる上位階層表示項目Ｐ２の表示切替を促す前記項目切替指示信号を入力手段１０を介して受信すると、前記項目切替指示信号に基づいて上位階層表示項目Ｐ２が動き始めてから所定時間経過後（例えば時刻Ｔ１から時刻Ｔ３までの時間に相当する０．２秒経過後）、下位階層メニュー３４に表示されている「ＮＨＫ第１」なる下位階層表示項目Ｐ３が動き始めるように、表示手段２０を表示動作させるものである。
【００５０】
従って、上位階層表示項目Ｐ２の表示切替が行われる場合にあっては、上位階層表示項目Ｐ２の表示位置の変化に追従（連鎖）するように下位階層表示項目Ｐ３の表示位置が変化するため、ユーザは上位階層表示項目Ｐ２の表示切替操作を行ったことを瞬時に把握することができ、且つ、前記表示切替操作した表示項目（上位階層の表示項目）と追従的に変化する表示項目（下位階層の表示項目）とが従来のように同時に表示変化する（動く）のではなく、時間差を有するように表示変化することから、視覚的演出効果のある表示装置を提供することができる。
【００５１】
また本実施形態では、上位階層表示項目Ｐ２の表示切替操作時にあっては、カーソル３５が上位階層表示項目Ｐ２の位置にあるとき、ユーザが下カーソルボタン１２を押圧操作することで、上位階層表示項目Ｐ２並びに下位階層表示項目Ｐ３が仮想中央ラインＬの下方側に時間差を有して同時に動くものであったが、これとは逆にユーザが上カーソルボタン１１を押圧操作することで、上位階層表示項目Ｐ２並びに下位階層表示項目Ｐ３が仮想中央ラインＬの上方側に時間差を有して同時に動くような構成としてもよい。
【００５２】
また本実施形態では、表示手段３０が車両のインパネ上に載置された液晶表示パネル等からなる例について説明したが、例えば表示手段３０を液晶表示パネルと少なくとも１つの反射ミラー（光学部材）と車両のフロントガラスとからなる投射型表示ユニットとし、液晶表示パネルから発せられる表示光を反射ミラーを通じてフロントガラスに照射し、この照射によって得られた虚像（つまり操作選択画面３１からなる表示像）をユーザが視認するような構成としてもよいし、あるいは表示手段３０をプロジェクターと少なくとも１つの反射ミラー（光学部材）とインパネの開口部に配設された透過型スクリーンとからなる投射型表示ユニットとし、プロジェクターから発せられる表示光を反射ミラーを通じて透過型スクリーンへと照射し、この照射光が透過型スクリーンを透過することにより得られる実像（つまり操作選択画面３１からなる表示像）をユーザが視認するような構成としてもよい。
【００５３】
また本実施形態では、最上位階層メニュー３２の最上位階層表示項目Ｐ１を「ラジオ」とし、上位階層メニュー３３の上位階層表示項目Ｐ２を「ＡＭ」あるいは「ＦＭ」とし、下位階層メニュー３４の下位階層表示項目Ｐ３を「ＮＨＫ第１」あるいは「ＦＭ新潟」とした例について説明したが、例えば最上位階層メニュー３２（最上位階層表示項目Ｐ１）を携帯電話や携帯型音楽プレーヤー等からなる音源とし、上位階層メニュー３３（上位階層表示項目Ｐ２）をアーティスト名とし、下位階層メニュー３４（下位階層表示項目Ｐ３）を曲名としてもよい。なお、この場合、制御対象ユニット４０としてはＳＤカード等に格納されている音楽データを再生する音楽プレーヤーまたはナビゲーションユニットが挙げられ、制御対象機器５０としては携帯電話や携帯型音楽プレーヤーが挙げられる。また、操作選択項目３１に、ラジオに関する階層化されたメニューと音楽に関する階層化されたメニューとを上下に表示させる構成としてもよい。
【００５４】
なお本実施形態では、上位階層メニュー３３の下位の階層となる下位階層メニュー３４が１つ（単一）の階層メニューからなる例について説明したが、例えば上位階層メニュー３３の下位の階層として２つ以上（複数個）の下位階層メニューを設け、上位階層メニュー３３に表示されている上位階層表示項目Ｐ２の表示変化に追従するように複数個の下位階層メニューに表示されている複数個の下位階層表示項目が同時に動き始める（表示変化する）ような構成としてもよい。
【００５５】
つまり、この場合、表示手段３０は、上位階層メニュー３２とこの上位階層メニュー３２の下位の階層となる前記複数個の下位階層メニューとを表示可能に構成され、制御手段２０は、前記項目切替指示信号を受信すると（換言すれば上位階層表示項目Ｐ２の表示切替を促す前記項目切替指示信号を入力手段１０を介して受信すると）、前記項目切替指示信号に基づいて上位階層表示項目Ｐ２が動き始めてから前記所定時間経過後、前記複数個の下位階層メニューに表示されている前記複数個の下位階層表示項目が同時に動き始めるように、表示手段３０を表示動作させる制御を行うことになる。
【符号の説明】
【００５６】
１０    操作手段（入力手段）
１１    上カーソルボタン
１２    下カーソルボタン
１３    左カーソルボタン
１４    右カーソルボタン
１５    決定ボタン
２０    制御手段
３０    表示手段
３１    操作選択画面
３２    最上位階層メニュー
３３    上位階層メニュー
３４    下位階層メニュー
３５    カーソル
４０    制御対象ユニット
５０    制御対象機器
Ｌ    仮想中央ライン
Ｐ１    最上位階層表示項目
Ｐ２    上位階層表示項目
Ｐ３    下位階層表示項目
Ｐ４    他の上位階層表示項目
Ｐ５    他の下位階層表示項目
【図１】
0005751445.tif 000002
【図２】
0005751445.tif 000003
【図３】
0005751445.tif 000004
【図４】
0005751445.tif 000005
【図５】
0005751445.tif 000006